(57)【要約】      （修正有）【課題】シェードガイドが透けて見える部位の歯肉のピンク色が、患者本来の歯肉のピンク色に対して変わって見えないかどうかを、実際に確認することができるようにし、もってアバットメントのピンク色を最適に決定するアバットメント用シェードガイド装置を提供する。【解決手段】アバットメントの歯肉貫通部分の表面のピンク色を決定するために用いるシェードガイド装置であって、長さ１０〜３０ｍｍで少なくともピン先端部が歯肉貫通部２に入る太さを備えた丸棒である少なくとも５本のガイドピン３１と、ガイドピン３１をつかんでピン先端部を歯肉貫通部２に差し込むためのホルダー３２とを備える。各ガイドピン３１はチタン製であり、ピン表面に互いに色調の異なる少なくとも５通りのピンク色の干渉色を発する酸化チタン膜が形成されている。【選択図】図３
0003227296.tif 000002
【実用新案登録請求の範囲】
【請求項１】
歯肉（１）の歯肉貫通部（２）に配置されるアバットメント（１０）の歯肉貫通部分（１２）の表面のピンク色を決定するために用いるシェードガイド装置であって、
長さ１０〜３０ｍｍで少なくともピン先端部が歯肉貫通部に入る太さを備えた丸棒である少なくとも５本のガイドピン（３１）と、ガイドピン（３１）を順に１本ずつ、ピン基端部をつかんで患者の口腔内に入れ、ピン先端部を歯肉貫通部（２）に差し込むためのホルダー（３２）とを備え、
各ガイドピン（３１）はチタン製であり、ピン表面に互いに色調の異なる少なくとも５通りのピンク色の干渉色を発する酸化チタン膜が形成されていることを特徴とする歯科インプラントのアバットメント用シェードガイド装置。
【請求項２】
ガイドピン（３１）の少なくともピン先端部は、直径２．５〜３．５ｍｍである請求項１記載の歯科インプラントのアバットメント用シェードガイド装置。
【請求項３】
ガイドピン（３１）のピン先端部以外の部位は、歯肉貫通部（２）に入らない太さである請求項１又は２記載の歯科インプラントのアバットメント用シェードガイド装置。
【請求項４】
各ピンク色は、Ｌ＊ａ＊ｂ＊表色系でＬ＊が３５〜５５、ａ＊が１７〜４２、ｂ＊が−２０〜３０の範囲である請求項１、２又は３記載の歯科インプラントのアバットメント用シェードガイド装置。
【考案の詳細な説明】
【技術分野】
【０００１】
本考案は、歯科インプラントのアバットメント用シェードガイド装置に関するものである。
【背景技術】
【０００２】
歯科インプラントは、顎骨に固定する人工歯根であるフィクスチャーと、歯冠が被る支台であるアバットメントと、アバットメントに被った上部構造である歯冠とからなる。また、フィクスチャー体にこれとは別体のアバットメント体を接続する２ピースタイプと、フィクスチャー部とアバットメント部とを一体とした１ピースタイプとがある。以後、本願で「アバットメント」というときは、２ピースタイプにおけるアバットメント体も、１ピースタイプにおけるアバットメント部も包含するものとする。
【０００３】
アバットメントの材料としては、チタン、チタン合金、ジルコニア、金合金等が知られており、チタン又はチタン合金は生体適合性、強度等の点で適している。以後、本願で「チタン」というときは、チタンも、チタン合金も包含するものとする。
【０００４】
しかしながら、チタン製のアバットメントは、表面がチタン特有のシルバーグレイ色なので、ピンク色の歯肉を透かしてやや見えてしまい、歯肉が黒ずんで見えて審美性を損なうという問題があった。より詳しくは、患者の歯肉の歯欠損部位には、歯が抜ける若しくは歯科医が抜歯することにより又は歯科医が塞がった歯肉に開けることにより、歯肉貫通部（穴）が形成される。アバットメントは、この歯肉貫通部に配置される歯肉貫通部分と、歯冠が被る被歯冠部分とを備え、歯冠が被らない歯肉貫通部分のシルバーグレイ色が歯肉を透かして見えるのである。
【０００５】
そこで、チタン製のアバットメントの表面を陽極酸化処理し、形成される酸化チタン膜が歯肉色に近いピンク色の干渉色を発するようにして、上記問題を解決する技術が開発された。
【０００６】
非特許文献１には、互いに色調が異なる５通りの歯肉色に近いピンク色にそれぞれ陽極酸化した５枚のチタンプレートよりなるシェードガイド（濃淡見本）を作成し、患者の歯肉色を光学的に測定して、測定色を前記シェードガイドに照らし合わせる手法が開示されている。
【０００７】
特許文献１には、チタン製のアバットメントの表面の色調をＬ＊ａ＊ｂ＊表色系で示すところのＬ＊が４０〜４４，ａ＊が２１〜４０、ｂ＊が−２０〜１０の範囲とすることが開示されている。
【先行技術文献】
【非特許文献】
【０００８】
【非特許文献１】The International Journal of Periodontics ＆ Restorative Dentistry Volume22，Number 5，2014 「患者固有の粘膜色に着色したアバットメント：ケースシリーズ」
【特許文献】
【０００９】
【特許文献１】特開２０１２−１７０７２３号公報
【考案の概要】
【考案が解決しようとする課題】
【００１０】
非特許文献１のシェードガイドのチタンプレートは、患者の口腔内に入れることが難しいため、患者の歯肉色を光学的に測定して、その測定色を前記シェードガイドに照らし合わせるという手間が必要であった。
【００１１】
また、仮にチタンプレートを患者の口腔内に入れることができたとしても、歯肉と並べて照らし合わせるにとどまり、歯肉の中に入れることはできない。このため、チタンプレートのピンク色が透けて見える部位の歯肉のピンク色が、患者本来の歯肉のピンク色に対して変わって見えないかどうかを、実際に確認することまではできなかった。
【００１２】
そこで、本考案の目的は、歯肉貫通部にシェードガイドを差し込んだときの歯肉のピンク色の変化を実際に確認することができるようにし、もってアバットメントのピンク色を最適に決定することにある。
【課題を解決するための手段】
【００１３】
（１）本考案のシェードガイド装置は、歯肉の歯肉貫通部（穴）に配置されるアバットメントの歯肉貫通部分の表面のピンク色を決定するために用いるシェードガイド装置であって、
長さ１０〜３０ｍｍで少なくともピン先端部が歯肉貫通部に入る太さを備えた丸棒である少なくとも５本のガイドピンと、ガイドピンを順に１本ずつ、ピン基端部をつかんで患者の口腔内に入れ、ピン先端部を歯肉貫通部に差し込むためのホルダーとを備え、
各ガイドピンはチタン製であり、ピン表面に互いに色調の異なる少なくとも５通りのピンク色の干渉色を発する酸化チタン膜が形成されていることを特徴とする。
【００１４】
［作用］
本考案によれば、歯肉貫通部に差し込んだガイドピンが透けて見える歯肉のピンク色が、患者本来の歯肉のピンク色に対して変わって見えないかどうかを、実際に確認することができる。
【００１５】
本考案において、各ガイドピンの少なくともピン先端部は、直径２．５〜３．５ｍｍである態様を好ましいものとして例示できる。
【００１６】
各ガイドピンはチタン製であり、ピン表面の酸化チタン膜が前記ピンク色の干渉色を発することとするのは、前記のとおり、チタンは生体適合性、強度等の点で適しており、また、酸化チタン膜は膜厚の調整で発色の色調をコントロールできるからである。
この点を詳述すると、酸化チタン膜自体は無色透明であるが、様々な波長の光を含む白色光が、酸化チタン膜を経てチタンの表面で反射した光と、酸化チタン膜の表面で反射した光とが干渉作用を起こし、強められた波長の光が色となって見える。これが干渉色である。強められる波長は酸化チタン膜の厚さにより決まるため、その膜厚をコントロールすることにより目的の色を得ることができる。
【００１７】
各ピンク色は、特に限定されないが、Ｌ＊ａ＊ｂ＊表色系でＬ＊が３５〜５５、ａ＊が１７〜４２、ｂ＊が−２０〜３０の範囲であれば、多くの患者に対応できる。
【００１８】
（２）上記シェードガイドの使用方法は、上記のシェードガイドの各ガイドピンを順に１本ずつ患者の口腔内に入れ、ガイドピンの先端部を歯肉の歯肉貫通部に差し込み、
ガイドピンの先端部が透けて見える部位の歯肉のピンク色が、患者本来の歯肉のピンク色に対して一番変わって見えないのは、複数のガイドピンのいずれを差し込んだ場合であるかを判定し、
判定したガイドピンのピンク色をアバットメントの歯肉貫通部分のピンク色として決定することを特徴とする。
【考案の効果】
【００１９】
本考案によれば、歯肉貫通部にシェードガイドを差し込んだときの歯肉のピンク色の変化を実際に確認することができ、もってアバットメントのピンク色を最適に決定することができる。
【図面の簡単な説明】
【００２０】
【図１】（ａ）は実施例で色決定するアバットメントの正面図、（ｂ）は同アバットメントの使用状態の正面図である。
【図２】（ａ）は同アバットメントの陽極酸化処理の概略図、（ｂ）は歯肉貫通部分と被歯冠部分とにゴールド色を発する酸化チタン膜を形成したときの正面図、（ｃ）は歯肉貫通部分にピンク色を発する酸化チタン膜を形成したときの正面図である。
【図３】（ａ）は実施例のシェードガイドの斜視図、（ｂ）は同シェードガイドの使用状態の正面図である。
【考案を実施するための形態】
【００２１】
１．ガイドピンの材料
ガイドピンの材料である「チタン」は、前記のとおり、チタン合金を包含する。
【００２２】
２．ガイドピンの寸法
ガイドピンの寸法は、少なくとも先端部が、歯肉の歯肉貫通部に入る太さである必要はあるが、先端部以外の部位は同穴に入らない太さであってもよい。
【００２３】
３．ガイドピンの本数
ガイドピンの本数は、３〜１０本が好ましい。２本では色調の差を細かくすることができず、１０本を超えると色調の差が細かくなりすぎるからである。
【００２４】
４．ガイドピンのピンク色
ガイドピンのピンク色の原因は、チタン製のガイドピンにおいて、陽極酸化処理により形成された酸化チタン膜による干渉色の発色である。
【００２５】
５．アバットメント
アバットメントの材料としては、特に限定されないが、チタン、ジルコニア、金合金、これらの組み合わせ等を例示できる。
嵌合部の形状やフィクスチャーへの固定構造は、特に限定されず、また、回転防止用の六角部を備えるものでも備えないものでもよい。
歯肉貫通部分や被歯冠部分の形状も、特に限定されず、歯冠の形状に対応して適宜の形状に形成できる。
歯肉貫通部分と被歯冠部分とは、一体のものでも、別体を接続したもの（例えば、チタン製の歯肉貫通部分に、ジルコニア製の被歯冠部分を接続したもの）でもよい。
【００２６】
６．歯肉貫通部分のピンク色
歯肉貫通部分のピンク色の原因は、特に限定されず、干渉色の発色によるものでも、顔料の色によるものでもよい。例えば、チタン製のアバットメントにおいて、陽極酸化処理により形成された酸化チタン膜による干渉色の発色や、ジルコニア製のアバットメントにおいて、ジルコニア材料に配合された顔料による色等を例示できる。
【実施例】
【００２７】
以下、本考案を具体化したシェードガイドの実施例と、同シェードガイドを用いて色決定する歯科インプラントの新規なアバットメントについて、図１〜図３を参照して説明する。なお、実施例で記す材料、構成、数値は例示であって、適宜変更できる。
【００２８】
まず、インプラント治療する患者の口腔状態例について簡単に説明すると、図３（ｂ）に示すように、歯肉１の歯欠損部位には、歯が抜ける若しくは歯科医が抜歯することにより又は歯科医が塞がった歯肉に開けることにより、歯肉貫通部２（穴）が形成される。その左右には天然歯３，３が並ぶ。
【００２９】
インプラントは、図１（ｂ）に示すように、顎骨に固定する人工歯根であるフィクスチャー５と、歯冠が被る支台であるアバットメント１０と、アバットメントに被った上部構造である歯冠６とからなり、同図示例は、フィクスチャー体にこれとは別体のアバットメント体を接続する２ピースタイプである。前記のとおり、１ピースタイプとしてもよい。歯冠６は、乳白色のハイブリッドセラミックス又はオールセラミックスであり、透光性である。
【００３０】
新規なアバットメント１０は、図１（ａ）（ｂ）に示すように、フィクスチャー５に嵌合する根元の嵌合部１１と、フィクスチャー５から出て、歯肉１の歯肉貫通部２に配置される歯肉貫通部分１２と、歯肉貫通部分１２より先の、歯冠６が被る被歯冠部分１３とからなり、これらはチタンにより一体形成されている。嵌合部１１は回転防止用の六角部１４を備える。歯肉貫通部分１２は被歯冠部分１３との境に向かうにつれて拡径する形状である。被歯冠部分１３は山形状である。但し、これら各部は前記のとおり適宜の形状に形成できる。
【００３１】
歯肉貫通部分１２の表面は、同表面に陽極酸化処理により形成された酸化チタン膜による光の干渉で発色するピンク色である。被歯冠部分１３の表面は、同表面に陽極酸化処理により形成された酸化チタン膜による光の干渉で発色するゴールド色である。図１〜図３で、クロスハッチングはピンク色を表し、通常の斜めハッチングはゴールド色を表している。
【００３２】
歯肉貫通部分１２のピンク色と被歯冠部分１３のゴールド色を、オリンパス株式会社製の歯科用測色装置「Crystaleye Spectrophotometer」（略称クリスタルアイ、７バンドＬＥＤ光源を用いたスペクトル推定方式）を用いて色測定したところ、Ｌ＊ａ＊ｂ＊表色系で次の［表１］のとおりであった。ここで、歯肉貫通部分１２のピンク色は、３箇所の測定部位の平均値である。被歯冠部分１３のゴールド色は反射色のため、３箇所の測定部位で測定値がかなりばらついたので、そのばらつきの範囲で示した。
【００３３】
【表１】
0003227296.tif 000003
【００３４】
このアバットメント１０によれば、図１（ｂ）に示すように、歯肉貫通部分１２の表面がピンク色なので、ピンク色の歯肉１を通して見えてはいてもほぼ分からないため、歯肉１のピンク色をほとんど変えて見せることがなく審美性を損なわない。また、被歯冠部分１３の表面がゴールド色なので、透光性のある乳白色の歯冠６を通して見えてはいてもほぼ分からないため、歯冠６の乳白色をほとんど変えて見せることがなく審美性を損なわない。
【００３５】
このアバットメント１０は、次のようにして製造することができる。
（１）嵌合部１１と歯肉貫通部分１２と被歯冠部分１３とからなるアバットメント１０を、チタンにより一体形成する。形成方法は、特に限定されないが、強度や精密性の点で切削加工が好ましい。さらに、必要に応じて研削、研磨等により形状を調整する。
（２）アバットメント１０の嵌合部１１に、フィクスチャーの例えば石膏からなるレプリカ２５を結合する。
（３）アバットメント１０を脱脂する。
（４）アバットメント１０を酸洗いする。上記形成後にチタンの表面は空気中でまだらに酸化し、その酸化物は次の陽極酸化処理の均一性を損なうため、酸洗いにより除去する。酸洗いにはフッ酸や、フッ酸・硝酸混合液等の公知の酸を用いることができる。
【００３６】
（５）図２（ａ）に示すように、レプリカ２５付のアバットメント１０を陽極に、通電性の良い金属電極２０を陰極にしてそれぞれ電解液２１に浸し、電源装置２２により直流電圧をかけて、レプリカ２５に嵌合した嵌合部１１以外の歯肉貫通部分１２の表面と被歯冠部分１３の表面を陽極酸化処理する。両表面には、表面部のチタンと陽極で電解発生した酸素とが結びつき、図２（ｂ）に示すように酸化チタン膜が生成する。電解液２１には、公知の様々な水溶液、非水溶液、溶融塩等を用いることができ、例えば１０〜２０質量％リン酸水溶液を用いることができる。また、電圧、電流、液温、処理時間等を調節することにより、酸化チタン膜の膜厚を自由にコントロールすることができる。両表面の酸化チタン膜がゴールド色の干渉色を発するようになったら、一旦、電圧を止める。
【００３７】
（６）図２（ｃ）に示すように、レプリカ２５付のアバットメント１０を電解液２１から取り出し、水洗した後、被歯冠部分１３をワックス等よりなるマスキング２４で覆う。そして、露出した歯肉貫通部分１２を酸洗いし、歯肉貫通部分１２のゴールド色の酸化チタン膜を除去する。
【００３８】
（７）レプリカ２５付のアバットメント１０を再び電解液２１に浸し、露出した歯肉貫通部分１２の表面を陽極酸化処理する。同表面には、表面部のチタンと陽極で電解発生した酸素とが結びつき、図２（ｃ）に示すように酸化チタン膜が生成する。この酸化チタン膜がピンク色の干渉色を発するようになり、それが目的のピンク色になったら陽極酸化処理を終了する。
【００３９】
（８）レプリカ２５付のアバットメント１０を電解液２１から取り出し、レプリカ２５とマスキング２４を取り除いて、洗浄・滅菌すれば、アバットメント１０が完成する。
【００４０】
なお、上記の製造方法に限定されず、例えば上記（６）でマスキング２４をした後に、酸洗いをせず、よって歯肉貫通部分１２のゴールド色の酸化チタン膜が付いたまま、上記（７）の陽極酸化処理を行ってもよい。歯肉貫通部分１２のゴールド色の酸化チタン膜は、陽極酸化処理の続行により膜厚を増してやがてピンク色の干渉色を発するようになり、それが目的のピンク色になったら陽極酸化処理を終了する。
【００４１】
［実施例のシェードガイド］
ところで、歯肉１のピンク色は、患者によって色調が微妙に異なる。そのため、歯肉貫通部分１２のピンク色が歯肉１のピンク色と合わないと、その歯肉貫通部分１２が歯肉１の歯肉貫通部２に配されたときに歯肉１のピンク色がやや変わって見えることもあり得る。
そこで、歯肉貫通部分１２のピンク色を、歯肉１のピンク色が変わって見えないような色調にすることが好ましい。その色決定を適切かつ容易に行えるようにするために、予め次のような実施例のシェードガイド（濃淡見本）を作製して使用した。
【００４２】
このシェードガイド３０は、図３（ａ）に示すように、ピン表面が互いに色調の異なる５通りのピンク色である５本の棒状のガイドピン３１よりなり、各ガイドピン３１はその少なくとも先端部が、歯肉１の歯肉貫通部２に入る直径を備えているものである。詳しくは、各ガイドピン３１は、直径３ｍｍ、長さ２０ｍｍのチタン製の丸棒であり、各ピンク色はピン表面に形成された酸化チタン膜による干渉色である。５本のガイドピン３１（１番〜５番とする）の各ピンク色を、前記歯科用測色装置「Crystaleye Spectrophotometer」を用いて色測定したところ（各３箇所の測定部位の平均値）、Ｌ＊ａ＊ｂ＊表色系で次の［表２］のとおりであった。
【００４３】
【表２】
0003227296.tif 000004
【００４４】
このシェードガイド３０の使用方法は、次のとおりである。
図３（ｂ）に示すように、１番〜５番のガイドピン３１を順に１本ずつ、ホルダー３２で一端をつかんで患者の口腔内に入れ、他端（先端部）を歯肉１の歯肉貫通部２に差し込む。
そして、同図に太線円で示した、ガイドピン３１の先端部が透けて見える部位の歯肉１のピンク色を目視観察して、患者本来の歯肉１のピンク色に対して一番変わって見えないのは、１番〜５番のガイドピン３１のいずれを差し込んだ場合であるかを判定し、判定したガイドピン３１のピンク色を歯肉貫通部分１２のピンク色として決定する。
【００４５】
前述した歯肉貫通部分１２の陽極酸化処理は、この決定したピンク色を目的色として行えばよい。また、各ガイドピン３１の陽極処理条件を記録しておけば、それを参考にして歯肉貫通部分１２の陽極酸化処理を行うことができ、便利である。
【００４６】
このシェードガイド３０は、アバットメント１０と同様に、次のようにして製造することができる。
（１）ガイドピン３１をチタンにより形成する。
（２）ガイドピン３１を脱脂する。
（３）ガイドピン３１を酸洗いする。
（４）ガイドピン３１を陽極に、通電性の良い金属電極を陰極にしてそれぞれ電解液に浸し、電源装置により直流電圧をかけて、ガイドピン３１を陽極酸化処理する。
【００４７】
なお、本考案は前記実施例に限定されるものではなく、考案の趣旨から逸脱しない範囲で適宜変更して具体化することができる。
【符号の説明】
【００４８】
１    歯肉
２    歯肉貫通部
３    天然歯
５    フィクスチャー
６    歯冠
１０    アバットメント
１１    嵌合部
１２    歯肉貫通部分
１３    被歯冠部分
１４    六角部
２０    金属電極
２１    電解液
２２    電源装置
２４    マスキング
２５    レプリカ
３０    シェードガイド
３１    ガイドピン
【図１】
0003227296.tif 000005
【図２】
0003227296.tif 000006
【図３】
0003227296.tif 000007